(57)【要約】      （修正有）【課題】各種産業上の検収や検品時の不良箇所のマーキング作業に特に適したマーキングテープを提供する。【解決手段】方形の基材１の一側の面の一端に、三角マーク１１を有し、前記三角マーク１１の一辺１１ａは、前記方形の基材１の短辺１ａと平行であり、前記三角マーク１１の前記一辺１１ａと対向する頂点１１ｃは、前記方形の基材１の前記一端側の短辺１ａに向けられ、前記方形の基材１は、前記三角マーク１１の前記一辺１ａを境に、三角マーク形成領域１０とその他の領域２０を有し、前記三角マーク形成領域１０において、前記三角マーク１１と前記三角マークを除く余白部分１２は、互いに異なる色とされ、前記方形の基材１における前記その他の領域２０は、前記三角マークの色とは異なる色とされてなり、前記方形の基材１の他側の面の少なくとも一部に粘着層を有することを特徴とするマーキングテープ。【選択図】図１
0003190536.tif 000002
【実用新案登録請求の範囲】
【請求項１】
方形の基材の一側の面の一端に、三角マークを有し、
前記三角マークの一辺は、前記方形の基材の短辺と平行であり、
前記三角マークの前記一辺と対向する頂点は、前記方形の基材の前記一端側の短辺に向けられ、
前記方形の基材は、前記三角マークの前記一辺を境に、三角マーク形成領域とその他の領域を有し、
前記三角マーク形成領域において、前記三角マークと前記三角マークを除く余白部分は、互いに異なる色とされ、
前記方形の基材における前記その他の領域は、前記三角マークの色とは異なる色とされてなり、
前記方形の基材の他側の面の少なくとも一部に粘着層を有する
ことを特徴とするマーキングテープ。
【請求項２】
前記三角マークは、３つの頂点が、前記方形の基材の辺に接していることを特徴とする請求項１記載のマーキングテープ。
【請求項３】
前記三角マークは、二等辺三角形、又は、正三角形であることを特徴とする請求項１又は２記載のマーキングテープ。
【請求項４】
前記方形の基材は、短辺の長さと長辺の比は、短辺：長辺＝１：２〜４であることを特徴とする請求項１〜３のいずれかに記載のマーキングテープ。
【請求項５】
前記三角マーク形成領域と前記その他の領域の長辺方向の長さの比は、１：１〜３であることを特徴とする請求項１〜４のいずれかに記載のマーキングテープ。
【請求項６】
前記三角マークと前記三角マークを除く余白部分は、一方が黒色であり、他方が白色であり、
前記その他の領域は、有彩色であることを特徴とする請求項１〜５のいずれかに記載のマーキングテープ。
【請求項７】
前記粘着層は、前記方形の基材の他側の面において、前記方形の基材の前記三角マークがある側の短辺から、前記方形の基材の長辺に沿って前記長辺の長さの７０％〜９７％までにわたって形成されていることを特徴とする請求項１〜６のいずれかに記載のマーキングテープ。
【請求項８】
前記方形の基材の前記その他の領域に、前記方形の基材の長辺と平行な線を有し、前記平行な線の延長線は前記三角マークの前記一辺と対向する前記頂点を通ることを特徴とする請求項１〜７のいずれかに記載のマーキングテープ。
【考案の詳細な説明】
【技術分野】
【０００１】
本考案は、マーキングテープ等に関する。
【背景技術】
【０００２】
建築物の新築やリニューアルの際には、「竣工検査」等が行われ、施工の不良箇所をチェックし、不良箇所の修理・修正等が行われ、適正に修理・修正が行われたか否か再度チェックが行われる。
このとき、不良箇所を示す目印として、建築現場で多用されているマスキングテープ（masking tape）が利用されることが多い。マスキングテープは、塗装やシーリング・コーキング等の際に作業箇所以外を汚さないために貼る、保護用の粘着テープであり、養生テープと呼ばれることもある。
マスキングテープを使用する場合、ロール状のテープをはがし、折り返しを作り（粘着層同士が接着し「取手」が形成されるようにテープの端部を折り返す）、その後、テープを適度な長さに切り、テープを施工の不良箇所に貼る作業が必要である。テープを剥がす作業は前記折り返し（取手）を摘んで行われる。
【０００３】
また、アパレル製品等の検品作業では、丸型のシールなどが使用されている。不具合箇所の近くに丸型シールが貼られるが、丸型シールの周囲３６０度のどちらの方向に不具合箇所があるのかわかりづらい。
【０００４】
上記の場合、簡易的には、事務用や文具用として市販されている付箋紙を利用して代用することが考えられる。しかしながら、このような付箋紙は、裏面に形成される粘着層の粘着性が非常に弱いこと、方形の紙片の一端側の裏面にのみ小面積で粘着層が形成され、裏面の大部分は粘着層が形成されていないこと、等から剥がれて落下しやすい。これに加え、方形の紙片の一端側（粘着層がある側）で貼付したときに他端側が浮いてしまったり、紙片がカールしたりするため、これが原因で剥がれて落下しやすくなる。
【考案の概要】
【考案が解決しようとする課題】
【０００５】
本考案は、各種産業上の検収や検品時の不良箇所のマーキング作業に特に適したマーキングテープの提供を目的とする。
【課題を解決するための手段】
【０００６】
本考案は、以下の構成を有する。
（構成１）
方形の基材の一側の面の一端に、三角マークを有し、
前記三角マークの一辺は、前記方形の基材の短辺と平行であり、
前記三角マークの前記一辺と対向する頂点は、前記方形の基材の前記一端側の短辺に向けられ、
前記方形の基材は、前記三角マークの前記一辺を境に、三角マーク形成領域とその他の領域を有し、
前記三角マーク形成領域において、前記三角マークと前記三角マークを除く余白部分は、互いに異なる色とされ、
前記方形の基材における前記その他の領域は、前記三角マークの色とは異なる色とされてなり、
前記方形の基材の他側の面の少なくとも一部に粘着層を有する
ことを特徴とするマーキングテープ。
（構成２）
前記三角マークは、３つの頂点が、前記方形の基材の辺に接していることを特徴とする構成１記載のマーキングテープ。
（構成３）
前記三角マークは、二等辺三角形、又は、正三角形であることを特徴とする構成１又は２記載のマーキングテープ。
（構成４）
前記方形の基材は、短辺の長さと長辺の比は、短辺：長辺＝１：２〜４であることを特徴とする構成１〜３のいずれかに記載のマーキングテープ。
（構成５）
前記三角マーク形成領域と前記その他の領域の長辺方向の長さの比は、１：１〜３であることを特徴とする構成１〜４のいずれかに記載のマーキングテープ。
（構成６）
前記三角マークと前記三角マークを除く余白部分は、一方が黒色であり、他方が白色であり、
前記その他の領域は、有彩色であることを特徴とする構成１〜５のいずれかに記載のマーキングテープ。
（構成７）
前記粘着層は、前記方形の基材の他側の面において、前記方形の基材の前記三角マークがある側の短辺から、前記方形の基材の長辺に沿って前記長辺の長さの７０％〜９７％までにわたって形成されていることを特徴とする構成１〜６のいずれかに記載のマーキングテープ。
（構成８）
前記方形の基材の前記その他の領域に、前記方形の基材の長辺と平行な線を有し、前記平行な線の延長線は前記三角マークの前記一辺と対向する前記頂点を通ることを特徴とする構成１〜７のいずれかに記載のマーキングテープ。
【考案の効果】
【０００７】
本考案によれば、検収や検品時の不良箇所を指し示す機能を有する部分である「三角マーク形成領域」と、マーキングテープを目立たせる機能を有する部分である「その他の領域」との、各機能を有する２つの部分（平面構造）を組み合わせることによって、種々の作用効果が発揮される。例えば、見やすい、わかりやすい、すっきりしている、見つけやすい（不具合箇所、本願テープ）、疲れにくい、作業効率が高まる、などの作用効果が発揮される。
【図面の簡単な説明】
【０００８】
【図１】本考案に係るマーキングテープの一実施形態を示す平面図である。
【図２】本考案の実施例１に係るマーキングテープを示す平面図である。
【図３】本考案の実施例２に係るマーキングテープを示す平面図である。
【図４】矢印を示す平面図である。
【図５】本考案に係るマーキングテープの着色前の状態を示す図であり、左側は平面図、右側は裏面図（背面図）である。
【考案を実施するための形態】
【０００９】
以下、本考案に係るマーキングテープについて説明する。
なお、説明を容易にするため、図１を参照しつつ説明するが、本考案は図１に示す形態に限定されるものではない。図１は、本考案に係るマーキングテープの一実施形態を示す平面図である。
上記構成１及び図１に示すように、本考案のマーキングテープ１００は、方形（矩形、長方形）の基材１の一側の面の一端側に、三角マーク１１を有する。
前記三角マーク１１の一辺１１ａは、前記方形の基材１の短辺１ａと平行である。前記三角マーク１１の前記一辺１１ａと対向する頂点（頂角）１１ｃは、前記方形の基材１の前記一端側の短辺１ａに向けられている。
前記方形の基材１は、前記三角マーク１１の前記一辺１１ａを境に、三角マーク形成領域１０とその他の領域２０を有する。
前記三角マーク形成領域１０において、前記三角マーク１１と前記三角マークを除く余白部分１２は、互いに異なる色とされる。好ましくは、前記三角マーク１１と前記三角マークを除く余白部分１２は、互いに高コントラストとなるように互いに異なる色とされる。
前記方形の基材１における前記その他の領域２０は、前記三角マークの色とは異なる色とされる。
前記方形の基材１の他側の面の少なくとも一部に粘着層を有する。
【００１０】
上記のように、方形の基材の一側の面には、前記三角マークの前記一辺を境に、三角マーク形成領域とその他の領域が形成されている。三角マークは、検収や検品時の不良箇所等を指し示す機能を有する部分であり、その他の領域は、マーキングテープを目立たせる機能を有する部分である。
このように、各機能を有する２つの部分（平面構造）を組み合わせることによって、種々の作用効果が発揮される。例えば、見やすい、わかりやすい、すっきりしている、本願テープを見つけやすい、不具合箇所を見つけやすい、疲れにくい、などの作用効果が発揮される。
また、本願では、中・長距離機能と、中・近距離機能（特に近距離機能）にわけることにより、それぞれに適した構成を採用することができ、これにより、種々の作用効果が発揮される。例えば、見やすい、わかりやすい、すっきりしている、見つけやすい（不具合箇所、本願テープ）、疲れにくい、作業効率が高まる、などの作用効果が発揮される。
具体的には、例えば、本願では、矢印の「柄」がないので見やすい。近づいて確認するとき「柄」は、かえって、じゃまになる。本願では、じゃまになるものがないので、疲れにくい。本願では、じゃまになるものがないので、すっきりしており、わかりやすい。
本願では、三角マークは、検収や検品時の不良箇所等の詳細（正確）な位置を的確かつ詳細（正確）に知らせる機能を有する。三角マークは、中・近距離（特に近距離）において、目線が自然と三角マークに行くこと、及び、マーキングテープ全体に占める面積の相対的に小さな三角マークのみを集中して見ることにより、相対的により見やすく、相対的によりわかりやすく、しかも不良箇所等を相対的により見つけやすく、さらに、相対的により疲れにくい。特に、長時間作業や大量処理を行っても疲れにくい。「相対的に」とは、機能分離されていない場合に比べて、の意である。
本願では、その他の領域は、マーキングのある箇所や、マーキングした大まかな場所、を知らせる機能を有する。この機能は、中・長距離機能で発揮されるが、中・近距離（特に近距離）においても、例えば、衣服などの場合、マーキングのある箇所や、マーキングした大まかな場所、を確実に知らせる機能が発揮され、次の動作として、三角マークに目を移すことによって、マーキングした詳細（正確）な位置を確認する作業が実施される。
本願のマーキングテープは、各機能を有する２つの部分（平面構造）の組み合わせであり、中・長距離機能と、中・近距離機能（特に近距離機能）にわけている。このため、それぞれに適した構成を採用することができ、これにより、見やすい、わかりやすい、すっきりしている、見つけやすい（不具合箇所、本願テープ）、疲れにくい、などの作用効果が発揮される。
【００１１】
なお、方向表示の目的で使用される矢印は、ある程度遠くから方向（流れ）をしっかり認識できる機能が重要視される。このため、「矢じり（矢尻）」と「柄」からなる典型的な矢印が使用されるケースが多い（図４参照）。このとき、「矢じり」と「柄」の色を互いに変えると、かえって、見づらい、わかりづらいといった感じになるので、ほとんどの場合、「矢じり」と「柄」の色は同色であり、単色の矢印である。このとき、例えば、「矢じり」と「柄」からなる単色の矢印を目立つ色とした場合、近づいて見たときに、「矢じり」と「柄」が目に飛び込んでしまい、見づらい。
これに対し、本願では、ある程度遠くからマーキング箇所をしっかり認識できる機能があればよく、マーキング位置の詳細は近くに近づいて確認するとき認識できればよい。
本願では、方向表示の重要な役割を担っている矢印の「柄」を必要としない。「その他の領域」は、矢印の「柄」に比べれば面積が相対的に広くなるので見つけやすい。本願では、近づいて確認するとき「矢じり」と一体化した「柄」は、かえって、じゃまになる。
【００１２】
本願では、前記三角マーク形成領域において、前記三角マークと前記三角マークを除く余白部分（三角マークの余白部分）は、互いに高コントラストとなるよう互いに異なる色とされていることが好ましい。これにより、三角マーク及びその先端の視認性が格段に良くなる。「視認性」とはパッと見た瞬間の認識しやすさのことである。例えば、本願において黒色の三角マークの余白部分を切り落とした態様（余白部がない態様）では、色のある物体、特に暗い色の物体に貼付した場合、三角マーク及びその先端の視認性がよくない。これに対し、例えば、本願において黒色の三角マークの余白部分が白色である態様では、自身で高コントラストを演出できるので、色のある物体、特に暗い色に貼付した場合において、三角マーク及びその先端の視認性が非常によい。本願では、白色系の壁紙や白い壁に貼付した場合であっても、三角マークの余白部分と全く同一の白色でなければ、三角マーク及びその先端の視認性は意外にも良好である。ほぼ同一の白色紙に貼付した場合であっても、近づいて確認するとき、三角マークの余白部分（白色）の縁が視認されるので、視認性は悪くなく、意外にも良好である。
【００１３】
本願では、前記三角マーク形成領域において、必要がない限り、余白部分（背景）には色をつけず（基材の色とする、例えば白色とする）、三角マークはできるだけ暗い色及び／又は濃い色を使うことが好ましい。もちろん、これとは逆にしてもよく、例えば、黒色系の背景に白色系の三角マークでもよい。
本願では、白色は、例えば、紙（普通紙、印刷用紙、コピー用紙、等）と同程度の白色とすることができる。
本願では、白色は、例えば、明度を抑えた白色、明度の高い白色、これらの中間の白色、等を使用できる。
【００１４】
本願では、前記三角マークを、見やすくするためには、三角マークを除く余白部分の色（背景色）と三角マークの色のコントラストが大きいことが重要である。すなわち、白い背景に淡い色の三角マークよりは、白い背景に黒い三角マークの方が圧倒的に見やすい。しかし、白い背景に真っ黒の三角マークではコントラストが強すぎる（あるいは黒い色が強すぎる）ために、見にくいと感じられることがある。個人差はあると思われるが、真っ黒はコントラストが強すぎて、目に優しくない。このような場合は、背景とのコントラストを下げ過ぎない程度の「グレー」の三角マークを使うことで、見やすさを高めることができ、近づいて見たときに目が疲れにくくできる。グレーの三角マークは、見やすさと同時に、すっきりした印象を与える効果も期待できる。例えば、数％だけ輝度を上げるとちょうどよく、明らかにグレーに見えるようでは彩度が高すぎる。
【００１５】
本願では、前記方形の基材１における前記その他の領域２０は、前記三角マークの色とは異なる色とされる。例えば、三角マークが黒色の場合、前記その他の領域２０は、黒色とは異なる色（白色を含む）とされる。三角マークが白色の場合、前記その他の領域２０は、白色とは異なる色（黒色を含む）とされる。
本願では、前記方形の基材における前記「その他の領域」は、前記三角マークの色及びその余白の色とは、異なる色とされることが好ましい。
本願では、「その他の領域」は、中・長距離からでも、ある程度目立つ色で着色することが好ましい。
本願では、あくまでも主役は三角マークであり、したがって、近づいて見たときに、「その他の領域」が目立ちすぎると、主役が目立ちにくくなり、主役である三角マークが把握しづらくなる。例えば、「その他の領域」が、ムダに濃い色である場合や、蛍光色である場合、原色に近く目立ちすぎてしまう場合は、近づいて見たときに、ちかちかした感じになりハレーションを起こしやすく、見づらくなる。
本願では、「その他の領域」は、近づいて見たときに、視認性がよく、見つけやすいが、目立ちすぎない色とすることが好ましい。
本願では、「その他の領域」は、彩度（濃さ）及び／又は明度を抑えた色を使用することが好ましい。
本願では、「その他の領域」は、例えば白色や極く薄い色だと、貼付する物体が例えば白色や極く薄い色の場合、あまり目立たない。この場合は、「その他の領域」は、例えば、薄すぎない色であって、有彩色を使用することが好ましい。
本願では、貼付する物体が暗い色及び／又は濃い色である場合は、「その他の領域」が白色や極く薄い色であっても視認性は悪くない。
【００１６】
本願では、「三角マーク」の色、「三角マークを除く余白部分」の色、「その他の領域」の色としては、それぞれ、色相（色合いの違い）、明度（明るさの違い）、彩度（鮮やかさの違い）の３つを任意に組み合わせて得られる色を使用できる。
本願では、有彩色（彩りのある色）、無彩色（彩りのない色）を使用できる。
無彩色は、白、黒、グレーであり、色相、彩度はなく、あるのは明るさの段階だけである。
有彩色には、例えば、赤、黄、緑、青、紫や、これらの中間色相(黄赤、黄緑、青緑、青紫、赤紫)、さらには、ピンク、ベージュなど様々な色がある。
色調（カラートーン）とは、色の明度と彩度によって分けられる色の系統をいう。
無彩色の色調（カラートーン）としては、ホワイト(白）、ライトグレイ(あかるい灰色）、ミディアムグレイ(灰色）、ダークグレイ(くらい灰色）、ブラック(黒）等が挙げられる。
有彩色の色調は、低彩度、中彩度、高彩度、純色に分けられる。
低彩度の色調としては、ペールトーン(うすい色）、ライトグレイッシュトーン(あかるい灰みの色）、グレイッシュトーン(灰みの色）、ダークグレイッシュトーン(くらい灰みの色）等が挙げられる。
中彩度の色調としては、ライトトーン(あさい色）、ソフトトーン(やわらかい色）、ダルトーン(にぶい色）、ダークトーン(くらい色）等が挙げられる。
高彩度の色調としては、ブライトトーン(あかるい色）、ストロングトーン(つよい色）、ディープトーン(こい色）等が挙げられる。
純色は、ビビッドトーン(さえた色、原色）等が挙げられる。
【００１７】
本願では、「その他の領域」の色としては、例えば、ピンク、グリーン、パープル、ブルー、イエローなどが使用できる。このとき、彩度（濃さ）及び／又は明度を抑えた色を使用することが好ましい。
本願では、「その他の領域」の色としては、パルテル調の色（白色が混ざったような淡い色彩）、ライトトーン(あさい色）、ソフトトーン(やわらかい色）、等を使用できる。
本願では、「その他の領域」の色としては、例えば、パステル調の、ピンク、緑、紫、青、水色、黄色などや、パステル調の、うす緑、淡いピンク、淡い青、うす紫、淡い水色、淡い黄色などが使用できる。
【００１８】
本願では、「三角マーク」の色、「三角マークを除く余白部分」の色、「その他の領域」の色としては、ブラック(黒）、ダークグレイ(くらい灰色）からブラック(黒）までの間の中間色（特にこのうちの色であって明らかにグレーに見えないもの）、ダークグレイ(くらい灰色）、ダークトーン(くらい色）、ダークトーン(くらい色）からブラック(黒）までの間の中間色、等を使用できる。
本願では、「三角マーク」の色、「三角マークを除く余白部分」の色、「その他の領域」の色としては、ホワイト(白）、ホワイト(白）からライトグレイ(あかるい灰色）までの間の中間色（特にこのうちの色であって明らかにグレーに見えないもの）、ペールトーン(うすい色）、ペールトーン(うすい色）からホワイト(白）までの中間色、等を使用できる。
【００１９】
本願では、例えば、前記三角マークと前記三角マークを除く余白部分は、一方が黒色又は黒色に近い色であり、他方が白色又は白色に近い色であり、前記その他の領域は、有彩色である態様が好ましい（構成６）。
【００２０】
なお、本願では、「その他の領域」は、縁取り線がないので、三角マークに集中する際に、じゃまにならない。これに対し、例えば、極細い線であっても「その他の領域」に縁取り線がある場合は、視覚的に余分なものとなり、三角マークに集中する際に、じゃまになることがある。
【００２１】
本願では、前記三角マークは、３つの頂点１１ｃ、１１ｃ’、１１ｃ’’が、方形の基材の辺に接していることが好ましい（構成２）。最大限の大きさとすることで、相対的により認識しやすく、見やすくなる。また、前記三角マークの３つの頂点が、方形の基材の辺に接していない態様に比べ、すっきりしていてシンプルなレイアウトとなる。本態様では、余計な箇所に目がいかず、三角マークの先端に集中できる。
本願では、特に、前記三角マークの頂点１１ｃが、前記方形の基材１の前記一端側の短辺１ａと接することにより、マーキングした詳細（正確）な位置を目で追う作業が容易となる。前記三角マークの頂点が、前記方形の基材の短辺に接していない態様では、不一致により生ずる余白（退避部分）で目線が切れてしまい、目で追う作業の妨げとなる。
本願では、前記三角マーク１１は、前記方形の基材１に対して最大限、大きく、太く、濃くすることで、相対的に、よく目立ち、見やすくなる。
【００２２】
本願では、前記三角マークは、二等辺三角形、特に正方形に内接する二等辺三角形（底辺の長さと高さが同じとなる）や、正三角形などが好ましい（構成３）。これにより、相対的に、シンプルで見やすくなる。これに対し、三角形の高さが変に長くなったり短くなったりすると、間延びした感じになったり寸詰まりの感じになったりし、かえって、見づらくなる。これと同様に、前記三角マークにおける各辺を、曲線にしたり、前記三角マークの一部に凹凸を設けるなどして、変形した場合、かえって、見づらくなる。
図１では、前記三角マークは、正方形である三角マーク形成領域１０に内接する二等辺三角形（底辺１１ａの長さと高さが同じ）である。
本願では、前記三角マークは、正方形に内接する二等辺三角形を正三角形まで変化させる間に得られる三角形とすることが好ましい。
【００２３】
本願では、前記方形の基材１は、短辺１ａの長さと長辺１ｂの長さの比は、短辺：長辺＝１：２〜４であることが好ましく（構成４）、略１：３（例えば略１：２．７〜３．３）であることがより好ましい。
長辺の長さが変に長くなったり短くなったりすると、間延びした感じになったり寸詰まりの感じになったりする。特に、長辺の長さが長い場合、前記方形の基材の他端側の短辺等の余計な箇所に目がいきがちで、目線の移動が大きく、作業に集中しづらくなる。
【００２４】
本願では、三角マーク形成領域１０とその他の領域２０の長辺方向の長さ（前記方形の基材１の長辺１ｂに沿った長さ）の比は、１：１〜３であることが好ましく（構成５）、略１：２（例えば略１：１．７〜２．３）であることがより好ましい。
上記比率であると、例えば、すっきりしていてシンプルなレイアウトである。
上記比率を超えると、例えば、統一感がなくなる。
本願では、ムダに大きな三角マーク及び／又はムダに大きな「その他の領域」や、ムダに装飾のある三角マーク及び／又はムダに装飾のある「その他の領域」できるだけ避け、シンプルな三角マーク及び／又は「その他の領域」を使うようにするとよい。
【００２５】
本願では、三角マーク及び「その他の領域」の種類やサイズを工夫することで、マーキングテープは格段に「使いやすく」なる。また、三角マーク及び「その他の領域」の配置や配色、全体のレイアウトを考えることで、マーキングテープは、「使いやすく」、「見やすく」、理解しやすいものになる。
マーキングテープにおいても「見栄えの良さ」、「美しさ」、「アイキャッチ」ということは非常重要である。すなわち「使いやすさ」「見やすさ」「見栄えの良さ」が三位一体となったとき、機能性に優れ、多くの人を惹きつける魅力あるマーキングテープとなる。
【００２６】
本願では、方形の基材の他側の面の少なくとも一部に粘着層を有する（構成１）。
粘着層は、例えば、方形の基材１の他側の面（裏面）において、方形の基材の三角マークがある側の短辺１ａから、長辺１ｂに沿って長辺１ｂの長さの７０％〜９７％まで形成することが好ましく（構成７）、更には、長辺の７５％〜９０％まで形成することが好ましく、長辺の略８０％（例えば略７７％〜８３％）まで形成することが好ましい。これにより、対象物体に安定して貼着でき、台紙から剥がしやすく、しかも、印刷や持ち運び、取り扱いの際に台紙から剥がれにくい、といった作用効果が得られる。これに加え、使用後にマーキングテープを剥がす際も剥がしやすい。
本願では、粘着層としては、弱粘着糊、再剥離糊、普通糊（一般的な強さの糊）、強粘着糊（強い糊）、超強粘着糊（強粘着よりさらに強い糊）、などの糊（粘着剤）を使用できる。
これらの糊（粘着剤）は、紙素材、フィルム素材を問わず幅広く使用される。
粘着剤としては、アクリル系粘着剤、ウレタン系粘着剤、などを使用できる。アクリル系粘着剤としては、水溶性のエマルジョンタイプ、溶剤性のソルベントタイプ、などを使用できる。
【００２７】
本願では、粘着層としては、一度又は数度貼ってもきれいに剥がすことのできる糊（粘着剤）が好ましい。また、剥がした際に、貼付物に糊（粘着剤）が残らない糊（粘着剤）が好ましい。
本願では、粘着層としては、弱粘着糊、再剥離糊が好ましい。弱粘着糊は、一定時間後に剥がすことを目的とした場合に使用される。再剥離糊（リピール）は、貼付後に剥がし、再度貼付でき、リピールと呼ばれることもある。再剥離糊としては、強粘着再剥離、強粘度・強粘着再剥離、弱粘着再剥離、微粘着再剥離などのタイプがある。
粘着層は、例えば、塗布などの方法で形成できる。粘着層を部分的に形成する手法としては、例えば、部分塗布や、全面塗布後に部分的に粘着性をなくす処理、などの手法を利用できる。
【００２８】
本願では、前記方形の基材の前記その他の領域に、前記方形の基材の長辺と平行な線を有し、前記平行な線の延長線は前記三角マークの前記一辺と対向する前記頂点を通る態様とすることができる（構成８）（図３参照）。
本願では、上記のように、「その他の領域」に細い水平線（中心線）を設けた態様とすることができる。このとき、水平線（中心線）は極細いこと、及び目線の流れに沿っていること、から三角マークに集中する際に、意外にもじゃまにならない。
前記水平線（中心線）の太さは、０．５ｍｍ以下が好ましく、さらには０．４ｍｍ以下、０．３ｍｍ以下が好ましい。
【００２９】
本願では、前記方形の基材としては、例えば、紙系材質、フィルム系材質、などを使用できる。
【００３０】
本願では、複数のマーキングテープの「その他の領域」に、連続番号（１、２、３…）を順番にしるした（印刷した）態様とすることができる。
この場合、マーキングテープとは別途に、同じ連続番号（１、２、３…）を記載し、各番号に対応した記入欄を設けた紙等の媒体を準備し、各番号に対応した記入欄に、欠陥等の詳細情報等を書き込むことにより、情報伝達の正確を期すことができる。
前記媒体は、スマートフォンやタブレット端末、ノートパソコン等で形成され、保存された電子データであっても良い。
【００３１】
本願では、マーキングテープの「その他の領域」の色が互いに異なるものをそれぞれ作製し、使用する態様とすることができる。
この場合、例えば、建築物の不良箇所等のマーキング作業において、施主、設計事務所、現場監督、営業担当者、検収担当者、工事担当者、建築物の所有者（オーナー）など、検収者の種別により色分けしたマーキングテープを使用することにより、検収者の種別が一目瞭然となる。
【００３２】
なお、本願では、上記好ましい各態様から外れる場合であっても、それ以外の点では、上述した本願の作用効果が発揮される。すなわち、上記好ましい各態様は、任意に組み合わせできることは自明である。
【実施例】
【００３３】
（実施例１）
実施例１に係るマーキングテープを図２に示す。
方形の基材は、短辺１５ｍｍ、長辺４５ｍｍの上質紙（白色）とした。なお、この１：３の比率は青銅比率１：３．３０３とほぼ一致する。
三角マークは、黒色とした。三角マークは、真っ黒ではなく、数％だけ輝度を上げた黒色とした。
その他の領域は、パステル調のピンク、グリーン、パープル、ブルーであるものをそれぞれ作製した。
粘着層は、方形の基材の他側の面（裏面）の三角マークがある側の短辺から、３５ｍｍにわたり１５ｍｍ×３５ｍｍの面積で形成した。
【００３４】
上記で作製した実施例１に係るマーキングテープについて、上述した作用効果が相対的に発揮されることを確認した。また、片手での作業性が良好であった。
これに対し、市販の付箋紙を用いて代用を試みたが、剥がれやすく、紙片がカールしやすかった（比較例１）。
また、図４に示す矢印（黒色）の裏面に粘着層を矢の先端から３４ｍｍにわたり形成したものを作製し使用を試みたが、近づいて、不良箇所の確認作業をする際に、矢印の柄の部分がじゃまに感じられた（比較例２）。
【００３５】
（実施例２）
実施例２に係るマーキングテープを図３に示す。
図３に示すように、「その他の領域」に細い水平線（中心線）を設けた態様とした。水平線（中心線）の太さは０．３ｍｍで三角マークと同色とした。
その他の構成は、実施例１と同様とした。
水平線（中心線）は極細いので、近づいて、不良箇所の確認作業をする際に、水平線（中心線）がじゃまに感じられることはなかった。
【００３６】
（実施例３）
台紙（セパレーター）、粘着剤、表面基材をこの順に積層した構造を有するタック紙（Ａ３サイズ）を使用し、オフセット印刷で、実施例１の三角マーク及びその他の領域を同時に印刷した。
ここで、表面基材は上質紙とした。粘着剤はアクリル系エマルジョンタイプとした。セパレーターは、クラフト紙（クリーム色）の片面にポリエチレンをラミネートし、その上にシリコーン処理を施したものを使用した。また、タック紙は、印刷後にマーキングテープが得られるように表面基材から台紙（セパレーター）の厚み方向の一部までにかけて切り込み（スリット）が入れられており、粘着層が対応位置に形成されているものを使用した。
例えば、短辺１５ｍｍ、長辺４５ｍｍのマーキングテープを、短辺を接して６片連続形成し（４５ｍｍ×９０ｍｍ）、５４ｍｍ×９７ｍｍの台紙（セパレーター）の中央部に収まり、上下左右の余白が３〜５ｍｍとなるようにする。この場合、Ａ３サイズで、縦４横５で約１２面とることができる。各面はミシン目で分断できるようにすると便利である。マーキングテープを構成しない余白部分の表面基材は、印刷後取り除いておくことで、マーキングテープを台紙から剥がしやすくなる。
実施例３では、オフセット印刷であるので、三角マークは高精度に形成できた。
【００３７】
（実施例４）
オフセット印刷で、実施例２の三角マーク、水平線（中心線）及びその他の領域を同時に印刷した。他は実施例３と同様とした。
実施例４では、オフセット印刷であるので、三角マーク及び水平線（中心線）は高精度に形成できた。
【産業上の利用可能性】
【００３８】
本願のマーキングテープは、各種産業上のマーキング作業に好適に使用される。
本願のマーキングテープは、各種産業上の検収や検品時の不良箇所や不具合箇所（以下、不良箇所等と称す）のマーキング作業に特に適する。
本願のマーキングテープは、建築物の不良箇所等のマーキング（検収）作業に特に適する。
本願のマーキングテープは、アパレル製品等の不良箇所等のマーキング（検品）作業に適する。
本願のマーキングテープは、家具製品等のキズ、よごれ等の不良箇所等のマーキング（検品）作業に適する。
本願のマーキングテープは、金属製品や金属加工製品、ステンレス加工品（例えばヒーター）等のキズ、よごれ等の不良箇所等のマーキング（検品）作業に適する。
本願のマーキングテープは、ブロック塀の墨出しを行う前の墨出し位置のマーキング作業に適する。本願のマーキングテープは、墨出し後においても、墨出し位置を中・長距離から確認可能な「墨出し確認テープ」としても効果的に使用できる。老眼等の場合や光量の少ない作業環境で細い墨の線が確認しづらい場合にあっては、中・近い距離から確認可能な「墨出し確認テープ」としても効果的に使用できる。
本願のマーキングテープは、室内で墨が打てない場合において、室内でレーザ墨出機を使用して行う墨出し位置のマーキング作業に適する。
本願のマーキングテープは、駐車場のターンテーブルの位置合わせや位置確認のためのマーキング作業に適する。本願のマーキングテープによれば、１ミリ単位のずれを確認可能である。これに対し、大まかなマーキングだと１ｍｍのずれは確認しづらい。
本願のマーキングテープは、木材等の切断位置のマーキングの作業に好適に使用できる。マジックや鉛筆等でマーキングすると跡が残る。本願テープ使えばこのような跡は残らない。
本願のマーキングテープは、家具等を一時的に移動し、これを元の位置に正確に戻す作業に好適に使用できる。
本願のマーキングテープは、警察・検察の現場検証におけるマーキング作業に好適に使用できる。
本願のマーキングテープは、人の立ち位置等のマーキングの作業に好適に使用できる。
【符号の説明】
【００３９】
１  方形の基材
１ａ  方形の基材の短辺
１ｂ  方形の基材の長辺
１０  三角マーク形成領域
１１  三角マーク
１１ａ  三角マークの一辺
１１ｃ、１１ｃ’、１１ｃ’’  三角マークの頂点
１２  三角マークを除く余白部分
２０  その他の領域
１００  マーキングテープ
【図１】
0003190536.tif 000003
【図４】
0003190536.tif 000004
【図５】
0003190536.tif 000005
【図２】
0003190536.tif 000006
【図３】
0003190536.tif 000007